【手続補正書】
【提出日】平成19年5月9日(2007.5.9)
【手続補正１】
【補正対象書類名】特許請求の範囲
【補正対象項目名】全文
【補正方法】変更
【補正の内容】
【特許請求の範囲】
【請求項１】
胃腸洗浄装置であって、この装置が、
ａ）胃腸の洗浄及び真空吸引をするための管状の手段であって、前記管状の手段は、内視鏡の管をゆるく受け入れられる中心ボア孔を有し、前記管状の手段は、近位端を備えてなる可撓性の管部分を有し、胃腸管の中へ滑り入れられるように適合していて、堅固で拡張した端部部分を備え、前記堅固で拡張した端部部分は、前記中心ボア孔に連通すべき内部手段を具備してなる、上記管状の手段と、
ｂ）前記内視鏡の頭部と前記堅固で拡張した端部部分との間に、気密かつ水密であるシールを形成するためのカラー手段と、
ｃ）前記内部手段に洗浄及び真空吸引用管を結合するための結合手段と、
を備えていることを特徴とする胃腸洗浄装置。
【請求項２】
前記管部分はさらに、その近位端の近くに窓孔を備えていることを特徴とする請求項１に記載の胃腸洗浄装置。
【請求項３】
前記管部分はさらに、管の中間に蛇腹部を備えていることを特徴とする請求項１に記載の胃腸洗浄装置。
【請求項４】
前記カラー手段に対して、気密かつ水密であるような、シールを形成するキャップ手段をさらに備えていることを特徴とする請求項１に記載の胃腸洗浄装置。
【請求項５】
前記内部手段は、２つの周辺ボア孔を備えていることを特徴とする請求項１に記載の胃腸洗浄装置。
【請求項６】
前記内部手段は、中空である中心部分を備えていることを特徴とする請求項１に記載の胃腸洗浄装置。
【請求項７】
胃腸洗浄装置であって、この胃腸洗浄装置が、近位端をもった管部分を備え、前記管部分は、胃腸の洗浄及び真空吸引をするために可撓性になっていて、胃腸管の中へ滑り入れられるように適合していて、遠位端が前記管部分と一体をなしている、拡張した端部部分と、を備え、前記拡張した端部部分は堅固になっていて、前記管部分には、中心にボア孔が貫通していて、前記中心のボア孔は、内視鏡の管をゆるく受け入れられるほどに大きく、前記拡張した端部部分は、前記中心ボア孔に連通すべき内部手段を具備していて、前記拡張した端部部分は、前記中心ボア孔のまわりの前記遠位端にて、前記内視鏡との間で頭部気密かつ水密であるシールを形成し、洗浄及び真空吸引用管を前記内部手段に結合すべく適合していることを特徴とする胃腸洗浄装置。
【請求項８】
前記管部分はさらに、前記近位端の近くに窓孔を備えていることを特徴とする請求項７に記載の胃腸洗浄装置。
【請求項９】
前記管部分はさらに、管の中間に蛇腹部を備えていることを特徴とする請求項７に記載の胃腸洗浄装置。
【請求項１０】
前記中心ボア孔のまわりの前記遠位端に、気密かつ水密であるような、シールを形成するキャップ手段をさらに備えていることを特徴とする請求項７に記載の胃腸洗浄装置。
【請求項１１】
前記内部手段は、２つの周辺ボア孔を備えていることを特徴とする請求項７に記載の胃腸洗浄装置。
【請求項１２】
前記内部手段は、中空である中心部分を備えていることを特徴とする請求項７に記載の胃腸洗浄装置。
【請求項１３】
胃腸洗浄装置であって、この装置が、
ａ）管の近位端と管の遠位端とを有してなり、胃腸の洗浄及び真空吸引をするために、胃腸管の中へ滑り入れられる管を備え、前記管は中心ボア孔を備え、前記管の中心ボア孔は、内視鏡の管をゆるく受け入れられるほどに大きくなっているような、上記管と、
ｂ）ハウジングの近位端とハウジングの遠位端とを有してなり、前記ハウジングの近位端に前記管の遠位端が取り付けられ、前記ハウジングは、前記ハウジングの近位端においては前記管と同一の外径をもち、前記ハウジングの遠位端においては前記管に比べて大きな外径をもち、前記ハウジングは、前記管の中央ボア孔に連通すべき内部手段を有しているような上記ハウジングと、
ｃ）前記ハウジングにおける前記ハウジングの中央ボア孔に、環状に取り付けられたカラーであって、前記カラーは、内視鏡の頭部に対して気密かつ水密のシールを形成するようなカラーと、
ｄ）前記ハウジングに取り付けられた真空吸引用取付具であって、真空吸引用管を前記内部手段に結合すべく適合し、それにより真空が前記中心ボア孔に適用される前記真空吸引用取付具と、
ｅ）前記ハウジングに取り付けられた洗浄用取付具であって、洗浄用管を前記内部手段に結合すべく適合し、それにより洗浄が前記中心ボア孔に適用される前記洗浄用取付具と、
を備えていることを特徴とする胃腸洗浄装置。
【請求項１４】
前記管部分はさらに、前記近位端の近くに窓孔を備えていることを特徴とする請求項１３に記載の胃腸洗浄装置。
【請求項１５】
前記管部分はさらに、管の中間に蛇腹部を備えていることを特徴とする請求項１３に記載の胃腸洗浄装置。
【請求項１６】
前記カラーに対して、気密かつ水密であるような、シールを形成するキャップ手段をさらに備えていることを特徴とする請求項１３に記載の胃腸洗浄装置。
【請求項１７】
前記内部手段は、ハウジング中心のボア孔と、前記ハウジングの内部において前記ハウジング中心のボア孔と連通してなる、少なくとも２つの周辺ボア孔とを備え、前記ハウジング中心のボア孔は前記管の中心のボア孔と同一の広がりをもっていることを特徴とする請求項１３に記載の胃腸洗浄装置。
【請求項１８】
前記内部手段は、中空である中心部分を備えていることを特徴とする請求項１３に記載の胃腸洗浄装置。
【請求項１９】
胃腸の洗浄を行うための方法であって、この方法が、
ａ）近位端と、遠位端もった拡張した部分とを備えてなる管部分を備えている器具を提供する段階と、前記管部分は、可撓性になっていて、胃腸管の中へ滑り入れられるように適合していて、前記拡張した端部部分は堅固になっていて、前記器具には、中心にボア孔が貫通していて、前記中心のボア孔は、内視鏡の管をゆるく受け入れられるほどに大きく、前記拡張した端部部分は、前記中心ボア孔に連通する少なくとも２つの周辺ボア孔を前記拡張した端部部分内に具備していて、前記拡張した端部部分は、前記中心ボア孔のまわりの前記遠位端にて、前記内視鏡との間で頭部気密かつ水密であるシールを形成し、洗浄用管を前記周辺ボア孔の一方に、真空吸引用管を前記周辺ボア孔の他方にそれぞれ結合すべく適合しているような上記器具を提供する段階と、
ｂ）まず、内視鏡の管を前記中心ボア孔へと滑り入れて、前記内視鏡の頭部をして、前記中心ボア孔と気密かつ水密のシールを形成せしめる段階と、
ｃ）前記周辺ボア孔のうちのひとつに洗浄管を結合する段階と、
ｄ）前記周辺ボア孔の他方に真空チューブを結合する段階と、
ｅ）前記内視鏡と前記器具とを胃腸管に挿入する段階と、
ｆ）前記内視鏡からの視覚的なフィードバックを用いて、前記器具を手動にて制御して、前記胃腸管の内部の必要な部位にて洗浄及び真空吸引を行う段階と、
を備えていることを特徴とする方法。
【請求項２０】
前記管部分はさらに、その近位端の近くに窓孔を備えていることを特徴とする請求項１９に記載の方法。
【請求項２１】
前記管部分はさらに、管の中間に蛇腹部を備えていることを特徴とする請求項１９に記載の方法。
【請求項２２】
方法がさらに、
ａ）前記遠位端の前記中心ボア孔のまわりに、気密かつ水密であるシールを形成するのに適合してなるキャップを提供する段階と、
ｂ）前記洗浄と真空吸引とをオフにする段階と、
ｃ）前記内視鏡を前記中心ボア孔から取り出す段階と、
ｄ）前記中心ボア孔に前記キャップで栓をする段階と、
ｂ）前記洗浄と真空吸引とをオンにする段階と、
を備えていることを特徴とする請求項１９に記載の方法。
【請求項２３】
前記方法がさらに、
ａ）前記洗浄と真空吸引とをオフにする段階と、
ｂ）前記内視鏡を前記中心ボア孔から取り出す段階と、
ｃ）洗浄管を前記中心ボア孔に取り付ける段階と、
ｄ）前記洗浄と真空吸引とをオンにする段階と、
を備えていることを特徴とする請求項１９に記載の方法。
【請求項２４】
前記方法がさらに、
ａ）前記洗浄と真空吸引とをオフにする段階と、
ｂ）前記内視鏡を前記中心ボア孔から取り出す段階と、
ｃ）真空チューブを前記中心ボア孔に取り付ける段階と、
ｄ）前記洗浄と真空吸引とをオンにする段階と、
を備えていることを特徴とする請求項１９に記載の方法。